(57)【特許請求の範囲】
【請求項１】
前面に開口する陳列室内に商品陳列用の複数段の棚を設けて成るオープンショーケースにおいて、
前記陳列室の開口上縁に形成された冷気吐出口と、
前記陳列室の開口下縁に形成された冷気吸込口と、
前記複数段の棚のうちの特定の棚上の空間が前方に開放した状態と、少なくとも前記商品の取り出しが不能となるよう当該棚上の空間前部が閉じた状態とに変更可能なカバーとを備え、
前記冷気吐出口から冷気を吐出し、前記冷気吸込口から吸い込むことにより、前記開口に冷気エアーカーテンを形成すると共に、
前記カバーの上部は後方に傾斜しており、
該カバーが前記棚上の空間前部を閉じた状態で、前記冷気エアーカーテンの全て、若しくは、一部が当該カバーの前面に沿って流下することを特徴とするオープンショーケース。
【請求項２】
前記カバーは、最上段の前記棚の前端部に取り付けられると共に、当該カバーの上端は、前記冷気吐出口、若しくは、その後方に指向することを特徴とする請求項１に記載のオープンショーケース。
【請求項３】
前記棚は、前端部にプライスカードを取り付けるための溝を備え、前記カバーは前記溝に差し込まれることを特徴とする請求項２に記載のオープンショーケース。
【発明の詳細な説明】
【技術分野】
【０００１】
本発明は、前面に開口する貯蔵室内に棚装置を設けてなるオープンショーケースに関するものである。
【背景技術】
【０００２】
従来よりこの種オープンショーケースは、例えば特許文献１に示される如く、前面に開口する断面略コ字状の断熱壁内を仕切板にて仕切り、この仕切板の前側を貯蔵室とし、後側をダクトとしている。そして、前記貯蔵室内には商品を陳列するための棚装置を複数段架設すると共に、ダクト内には冷却器と送風機を設置し、この冷却器により冷却された冷気を送風機にて前記開口上縁の冷気吐出口から吐出し、開口下縁の冷気吸込口から吸い込む。これによって、開口に冷気エアーカーテンを形成しつつ、一部を貯蔵室内に循環させて、各棚上の商品を冷却する方式とされていた。
【先行技術文献】
【特許文献】
【０００３】
【特許文献１】特開平１１−２４１８８０号公報
【発明の概要】
【発明が解決しようとする課題】
【０００４】
複数段架設された棚には、それぞれ商品が陳列されることとなるが、商品によっては、その販売形態などによりその販売が制限される場合がある。例えば、医薬品などの場合、薬事法によりその販売時間帯などが制限される場合がある。販売が制限された商品が、当該制限がない商品と同一のショーケースにおいて陳列されていると、どの商品が販売制限されているが否かが不明瞭となり、個別に販売制限がある旨の表示等を行っても、その陳列形態が複雑化する。これにより、顧客はその販売制限がある商品であるにもかかわらず、商品を陳列棚から取り出してしまう不都合が生じる。
【０００５】
そこで、商品の販売制限の条件に該当する度に該当商品を当該棚から搬出する作業を行うことが考えられるが、係る作業は煩雑となる。また、当該商品を搬出した後も販売制限の条件解除後における販売に供すべく、別置きの設備において所定温度に冷却しておく必要がある。
【０００６】
本発明は、従来の技術的課題を解決するためになされたものであり、棚上に商品を陳列したままで、簡素な構成にて特定の商品の販売制限等を円滑に行うことを可能とするオープンショーケースを提供する。
【課題を解決するための手段】
【０００７】
上記課題を解決するために、本発明のオープンショーケースは、前面に開口する陳列室内に商品陳列用の複数段の棚を設けて成るものであって、陳列室の開口上縁に形成された冷気吐出口と、陳列室の開口下縁に形成された冷気吸込口と、複数段の棚のうちの特定の棚上の空間が前方に開放した状態と、少なくとも商品の取り出しが不能となるよう当該棚上の空間前部が閉じた状態とに変更可能なカバーとを備え、冷気吐出口から冷気を吐出し、冷気吸込口から吸い込むことにより、開口に冷気エアーカーテンを形成すると共に、カバーの上部は後方に傾斜しており、このカバーが棚上の空間前部を閉じた状態で、冷気エアーカーテンの全て、若しくは、一部が当該カバーの前面に沿って流下することを特徴とする。
【０００８】
請求項２の発明は、上記発明において、カバーは、最上段の棚の前端部に取り付けられると共に、当該カバーの上端は、冷気吐出口、若しくは、その後方に指向することを特徴とする。
【０００９】
請求項３の発明は、上記発明において、棚は、前端部にプライスカードを取り付けるための溝を備え、カバーはこの溝に差し込まれることを特徴とする。
【発明の効果】
【００１０】
本発明によれば、前面に開口する陳列室内に商品陳列用の複数段の棚を設けて成るオープンショーケースにおいて、複数段の棚のうちの特定の棚上の空間が前方に開放した状態と、少なくとも商品の取り出しが不能となるよう当該棚上の空間前部が閉じた状態とに変更可能なカバーを設けたことにより、当該カバーにて特定の棚上の空間前部を閉じた状態とすることで、当該棚上の商品を取り出せないようにすることが可能となる。
【００１１】
これにより、例えば薬事法などにより販売形態が制限される商品であっても、当該商品が陳列される特定の棚上の空間前部をカバーにて閉じることにより、顧客が任意に当該商品を取り出して販売に供されてしまう不都合を未然に回避することが可能となる。これにより、当該商品に応じた適切な陳列販売形態を実現することができる。
【００１２】
また、陳列室の開口上縁に形成された冷気吐出口と、陳列室の開口下縁に形成された冷気吸込口とを備え、冷気吐出口から冷気を吐出し、冷気吸込口から吸い込むことにより、開口に冷気エアーカーテンを形成すると共に、カバーが棚上の空間前部を閉じた状態で、冷気エアーカーテンの全て、若しくは、一部が当該カバーの前面に沿って流下することにより、エアーカーテンによりカバー前面が冷却されることで、当該カバー前面に結露が生じてしまい、陳列室内を濡らしてしまう不都合を回避することができる。
【００１３】
また、冷気エアーカーテンの全て、若しくは、一部がコアンダー効果によってカバーの前面に沿って流下させることができ、冷気流の乱れにより、庫内温度が上昇してしまう不都合を回避することができる。
【００１４】
特に、カバーの上部は後方に傾斜していることにより、エアーカーテンを形成する冷気を、後方に傾斜したカバーの上部前面に沿って円滑に流下させることができる。
【００１５】
請求項２の発明によれば、上記発明に加えて、カバーは、最上段の棚の前端部に取り付けられると共に、当該カバーの上端は、冷気吐出口、若しくは、その後方に指向することにより、当該カバーの上端の指向方向を調整することで、カバー後面の最上段の棚上の空間内に冷気を流入させるか否か、更には、カバー前面を流下する冷気エアーカーテンを形成する冷気量と、カバー後面に流下して最上段の棚上の空間内に流入する冷気量を調整することが可能となる。
【００１６】
請求項３の発明によれば、上記発明に加えて、棚は、前端部にプライスカードを取り付けるための溝を備え、カバーはこの溝に差し込まれることにより、既存のオープンショーケースに設けられるプライスカードを取り付ける溝を用いてカバーを取り付けることが可能となる。これにより、既存のオープンショーケースであっても、容易に特定の棚上の空間前部をカバーにて選択的に閉じた状態とすることが可能となる。
【図面の簡単な説明】
【００１７】
【図１】本発明の実施形態であるオープンショーケースの斜視図である。
【図２】図１のオープンショーケースの正面図である。
【図３】図１のオープンショーケースの縦断側面図である。（可動棚引き出し状態）
【図４】図１のオープンショーケースの上部拡大縦断側面図である。
【図５】可動棚が収納された状態の棚の縦断側面図である。
【図６】可動棚が引き出された状態の棚の縦断側面図である。
【図７】カバー取付状態の棚の側面図である。
【発明を実施するための形態】
【００１８】
以下、図面に基づき本発明の実施形態を詳述する。図１は本発明の実施形態であるオープンショーケース１の斜視図、図２は図１のオープンショーケース１の正面図、図３は図１のオープンショーケース１の縦断側面図、図４は図１のオープンショーケース１の上部拡大縦断側面図をそれぞれ示している。各図において、実施例のオープンショーケース１は、例えばコンビニエンスストアなどに設置されてドリンク類の陳列販売に供されるものであり、前面に開口する断面略コ字状の断熱壁６と、この断熱壁６の左右に取り付けられた側板７、７とから構成されている。
【００１９】
この断熱壁６の内側には仕切板（インテリアリア）８が取り付けられ、その前側を前面に開口する貯蔵室９とし、仕切板８と断熱壁６間をダクト１１としている。断熱壁６の天壁６Ａは底壁６Ｂよりも奥側で終了しており、天壁６Ａの前端下側、即ち、陳列室９の前面開口２の上縁に冷気吐出口１２が形成され、底壁６Ｂの前端上側、即ち、前面開口２の下縁に冷気吸込口１３が形成されて、それぞれダクト１１に連通している。
【００２０】
このダクト１１内には冷却装置の冷凍サイクルを構成する冷却器１４と送風機１６が設置され、断熱壁６の底壁６Ｂ下側に構成された機械室１７内には、前記冷却器１４と共に冷凍サイクルを構成する圧縮機、凝縮器及び凝縮器用送風機などが設置されている。
【００２１】
そして、貯蔵室９内の両側には上下に所定間隔で複数の係合孔１８が穿設された棚支柱１７、１７が取り付けられており、この棚支柱１７、１７間に渡って詳細は後述する商品陳列用の棚３が上下複数段に渡って架設されている。各棚３上の空間（商品陳列スペース）後方に対応する仕切板８には、左右に渡ってパンチングにより穿設された複数の冷気吹出孔１０が形成されている。尚、各冷気吹出孔１０は、上段の棚３に対応して形成されているものほど穿設数が少なく、下段の棚３に対応して形成されているものほど穿設数が多いものとされているまた、各冷気吹出孔１０は、それぞれダクト１１に連通している。
【００２２】
これにより、前記冷却装置の圧縮機と送風機１６が運転されると、冷却器１４が冷却作用を発揮する。この冷却器１４にて冷却されたダクト１１内の冷気は、送風機１６にて吸い上げられて上方に吹き上げられ、やがて最上部の冷気吐出口１２から陳列室９内に吐出される。
【００２３】
本実施例では、冷気吐出口１２から陳列室９内に吐出される冷気の風向を調整する風向板３４が冷気吐出口１２に形成されている。この風向板３４は、前下方に向けて傾斜して設けられており、冷気吐出口１２から吐出される冷気は、陳列室９の前下部に向けて指向される。これにより、陳列室９の前面開口２の上縁に形成された冷気吐出口１２から吐出された冷気は、前面開口２の下縁に形成された冷気吸込口１３に吸い込まれることにより、陳列室９の前面開口２には、冷気エアーカーテンが形成される。
【００２４】
また、仕切板８には、ダクト１１内と陳列室９内とを連通する冷気吹出孔１０が複数形成されているため、各冷気吹出孔１０を介して、陳列室９内に架設された各棚３上の空間には、後方から冷気が吹き出される。尚、仕切板８に穿設される冷気吹出孔の数により各棚３上方への冷気吹出量を調整しても良いが、これに限定されるものではなく、形成される冷気吹出孔１０の穿設面積によって調整しても良い。
【００２５】
そして、陳列室９内に吐出或いは吹き出された冷気は、最終的に冷気吸込口１３からダクト１１内に帰還する循環を行う。これにより、陳列室９内は、所定の温度に冷却される。
【００２６】
次に、図５及び図６を参照して棚３について詳述する。図５及び図６は棚３の縦断側面図に示す。棚３は、後端に上下所定間隔を有して後方に突出する鉤状の複数の係合爪２２Ａ・・を有して前方に延在する左右一対のブラケット２２、２２と、このブラケット２２の内側に前後摺動自在に取り付けたレール部材２３と、このレール部材２３に摺動自在に係合支持された可動棚２４とから構成されている。
【００２７】
ブラケット２２の前部には左右に渡ってブラケット２２、２２を相互に連結する取付金具２６がネジ止めされており、後端の係合爪２２Ａ・・をそれぞれ左右の棚支柱１７の係合孔１８に挿入係合することにより着脱自在に棚支柱１７に保持される。前記取付金具２６には係合板２７がネジ止めにより固定されている。この係合板２７の前側には、その上面が後方に高く傾斜した傾斜面２７Ａが形成され、この傾斜面２７Ａの後側に連続して係合部２７Ｂが形成されている。
【００２８】
可動棚２４は周囲に商品落下防止用のフランジ２８を有した鋼板にて構成され、下面ほぼ中央には左右に渡って補強金具２９が溶接固定されている。本実施例では、補強金具２９は、下方に向けて突出して形成されており、その下面には、弾力性を有したステンレス板にて構成されたストッパー３０が固定されている。
【００２９】
ストッパー３０は、後端を補強金具２９にネジ止めされて前方に延在し、その先端には下方に折曲した係止部３０Ａと、この係止部３０Ａの前端にそれに連続して前方に高く傾斜した案内部３０Ｂが形成されている。更に、その案内部３０Ｂの前端は前方に略水平に延在した後、その前端が一旦下方に向けて折曲され、その端部が後方に折曲されて形成される操作部３０Ｃが形成されている。
【００３０】
このストッパー３０の係止部３０Ａは、可動棚２４が陳列室９内の所定位置に収納されている状態（図５の状態）で係合板２７の係合部２７Ｂに係合しており、それによって可動棚２４はブラケット２２に対して移動不能とされ、非係合状態では前記レール部材２３によりブラケット２２に対して所定範囲内で前後方向に摺動可能とされる。図６では、可動棚２４が前方に引き出された状態を示している。
【００３１】
また、この可動棚２４の前端部には、棚飾り３５が左右に渡って取り付けられている。この棚飾り３５は内部を透視可能とする透明材料にて構成されており、後面には下方に開口した係止部３６が形成され、当該係止部３６の前面には、上方に開口した溝３７が形成されている。
【００３２】
可動棚２４の前端部を構成するフランジ２８に、下方に開口して形成される係止部３６を、上方から覆い被せることにより、当該フランジ２８が挿入係合され、当該棚飾り３５が可動棚２４に着脱自在に取り付けられる。そして、この棚飾り３５の溝３７は、上方に開口し、内部にプライスカードを挿入して取り付けるための溝として用いられる。溝３７を構成する前壁部３７Ａは、所定の弾力性を有しており、前壁部３７Ａ上端は、常時閉じる方向に付勢されている。そのため、内部に収容されるプライスカードが収納保持される。
【００３３】
一方、この棚飾り３５の溝３７には、対応する棚３上の空間が前方に開放した状態と、当該空間前部が閉じた状態とに変更可能なカバー４０が着脱自在に差し込んで取付可能とされる。当該カバー４０は、板状部材にて構成されており、当該棚飾り３５が設けられる棚３の左右方向に延在し、且つ、当該棚３上の空間を前方に位置して上下に延在して構成される。
【００３４】
本実施例では、カバー４０が棚飾り３５の溝３７に取り付けられた状態で、高さ寸法は、当該棚３の直ぐ上の棚３の下端に近接、又は、当接、若しくは、当該棚３が最上段の棚である場合には、冷気吐出口１２、若しくは、その後方に近接する寸法とする。
【００３５】
即ち、カバー４０は、棚３に取り付けられた状態で、上端と直ぐ上の棚３との間隔、若しくは、前面開口２上縁との間隔は、少なくとも当該棚３に陳列される商品Ｓの幅寸法よりも小さい寸法に形成され、当該カバー４０にて棚３上の空間前部が閉じられた状態で棚３上の商品Ｓを外部に取り出し不能とする寸法とされる。
【００３６】
そして、このカバー４０が溝３７内に取り付けられた状態で、挿入されている差込代の寸法は、少なくとも、当該カバー４０の上端と直ぐ上の棚３との間隔寸法、若しくは、前面開口２上縁との間隔寸法よりも大きい寸法となるように構成される。これにより、カバー４０が取り付けられ、且つ、当該棚飾り３５が設けられた可動棚２４が陳列室９内に収納された状態では、当該カバー４０を溝３７内から上方に引き抜いて取り外すことが不能とされる。
【００３７】
また、当該カバー４０の両端と側板７との間隔も、少なくとも当該棚３に陳列される商品Ｓの幅寸法よりも小さい寸法に形成され、当該カバー４０にて棚３上の空間前部が閉じられた状態で棚３上の商品Ｓを外部に取り出し不能とする寸法とされる。
【００３８】
そして、本実施例では、図４に示すように最上段の棚３に取り付けられる当該カバー４０の上部は、後方向けて所定角度傾斜して形成された傾斜面４０Ａとされる。この傾斜面４０Ａの上端４０Ｂは、冷気吐出口１２の後部に指向されている。尚、当該傾斜面４０Ａの上端部４０Ｂの指向角度は、これに限定されるものではなく、冷気吐出口１２の後方に指向させても良い。
【００３９】
即ち、当該カバー４０の上端４０Ｂを冷気吐出口１２の後方に指向させた場合、カバー４０の後方に位置する最上段の棚３上の空間９Ａ内に冷気吐出口１２から吐出される冷気が入る量を略零とすることができる。また、カバー４０の上端４０Ｂを冷気吐出口１２に指向させる角度をより前方に調整することで、最上段の棚３上の空間９Ａ内に冷気吐出口１２から吐出される冷気量を増加させることができ、他方、角度をより後方に調整することで、当該空間９Ａ内に吐出される冷気量を減少させることができる。
【００４０】
以上の構成により、医薬品などの薬事法によりその販売時間帯などが制限された商品Ｓが特定の棚３上、本実施例では、最上段の棚３に陳列された場合について説明する。この場合、当該商品Ｓの販売が可能な時間帯には、他の棚３と同様に、当該最上段の棚３上の空間９Ａが前方に開放した状態とする。これにより、顧客による任意な商品選択及び取出が可能となる。
【００４１】
他方、当該商品Ｓの販売に制限が課される時間帯では、先ず、当該商品Ｓが陳列された特定の棚３、この場合最上段の棚３の可動棚２４を前方に引き出す。この際、可動棚２４の下面に設けられたストッパー３０の操作部３０Ｃを持ち上げることにより、その弾性により上方に変形させ、係合部３０Ａとブラケット２２に設けられた係合板２７の係合部２７Ｂとの係合を解除させる。そして、レール部材２３によりブラケット２２に対して可動棚２４を前方に摺動させる。
【００４２】
陳列室９内に収納されていた可動棚２４を前方に引き出した状態（図３の状態）で、当該可動棚２４の前端部に設けられた棚飾り３５の溝３７に上述した如きカバー４０を挿入係合させる。そして、当該可動棚２４を後方に押し込み、その際の押し込み力によって、可動棚２４側のストッパー３０の係合部３０Ａがブラケット２２の係合板２７の傾斜面２７Ａに沿って後方に押し上げられた後、当該傾斜面２７Ａの後側に連続して形成される係合部２７Ｂに落ち込み、ストッパー３０の係合部３０Ａと当該係合部２７Ｂとの係合によって、可動棚２４の前方への移動が規制される。
【００４３】
陳列室９内に可動棚２４が収納された状態で、カバー４０は、上述したように、下端が棚飾り３５の溝３７内に収納保持され、その上端が冷気吐出口１２（前面開口２上縁）に近接して設けられる。これにより、当該最上段の棚３上の空間９Ａ前部がカバー４０によって閉じられた状態とされ、当該棚３上に陳列された販売制限がなされた商品Ｓが取り出せないようにすることができる。
【００４４】
そのため、一例として薬事法などにより販売形態が制限される商品Ｓであっても、当該商品Ｓが陳列される特定の棚３、この場合最上段の棚３上の空間９Ａ前部をカバー４０にて閉じることにより、顧客が任意に当該商品Ｓを取り出し販売に供されてしまう不都合を未然に回避することが可能となる。これにより、当該商品Ｓに応じた適切な陳列販売形態を実現することができる。
【００４５】
また、本実施例では、当該特定の棚３上の空間前部を選択的に閉塞するカバー４０は、通常、プライスカードを取り付けるために用いられる溝３７を有する棚飾り３５を用いて、差し込み保持されるため、既存のオープンショーケースに設けられるプライスカードを取り付ける溝を用いてカバー４０を取り付けることが可能となる。
【００４６】
これにより、既存のオープンショーケースであっても、最上段の棚３に限らず、前端部に当該溝３７を有する特定の棚３上の空間前部をカバー４０にて選択的に閉じた状態とすることが可能となる。そのため、商品Ｓの陳列パターンに制限されることなく、特定の棚３上の空間のみをカバー４０にて選択的に閉じた状態とでき、円滑、且つ適切な陳列販売を実現することができる。
【００４７】
また、上述したように、棚３に取り付けられたカバー４０は、棚３の可動棚２４が陳列室９内に収納された状態では、下部が溝３７内に収容された状態で、上端がこの場合、冷気吐出口１２（前面開口２上縁。その他の棚３に取り付けられた場合には、直ぐ上の棚３下面）に近接し、取り外し不能とされ、当該可動棚２４を前方に引き出した状態で着脱自在とされることにより、当該可動棚２４の収納された状態を保持するロック構造（ストッパー３０及び係合板２７）を利用して、カバー４０の取付操作性を担保しながら、カバー４０の不用意な取り外しを防止することができる。尚、更に、商品Ｓの取り出しを厳格に規制する場合には、当該ロック構造に加えて、施錠機構を備えても良い。
【００４８】
また、本実施例では、最上段の棚３の前端部に取り付けられたカバー４０は、その上端４０Ｂが冷気吐出口１２の後部に指向されて設けられている。そのため、陳列室９の開口２上縁に形成された冷気吐出口１２から開口２下縁に形成された冷気吸込口１３に向けて形成される冷気エアーカーテンの一部が当該最上段の棚３の前端部に設けられたカバー３０の前面に沿って流下することにより、エアーカーテンによりカバー４０前面が冷却されることで、当該カバー４０前面に結露が生じてしまい陳列室９内を濡らしてしまう不都合を回避することができる。
【００４９】
また、冷気エアーカーテンの一部をコアンダー効果によってカバー４０の前面に沿って流下させることができ、冷気流の乱れにより、庫内温度が上昇してしまう不都合を回避することができる。
【００５０】
特に、本実施例では、カバー４０の上部は後方に傾斜していることにより、エアーカーテンを形成する冷気を、後方に傾斜したカバーの上部前面（傾斜面４０Ａ）に沿って円滑に流下させることができる。
【００５１】
また、当該カバー４０の上端４０Ｂの冷気吐出口１２への指向角度を調整することによって、カバー４０前面を流下する冷気エアーカーテンを形成する冷気量と、カバー４０後面に流下して最上段の棚３上の空間９Ａ内に流入する冷気量を調整することが可能となる。これにより、当該空間９Ａ内に供給される冷気量を調整することができるため、係る空間９Ａの冷却温度調整を精度良く行うことができる。
【００５２】
また、当該カバー４０の上端４０Ｂを冷気吐出口１２後方に指向させることにより、冷気吐出口１２から吐出され冷気吸込口１３に吸い込まれて形成される冷気エアーカーテンの流れを分流させない構成とすることができる。これにより、冷気エアーカーテンの全てがカバー４０の前面に沿って流下することにより、カバー４０前面の結露発生を防止できる。
【００５３】
この場合、カバー４０後面の最上段の棚３上の空間９Ａ内には前方から冷気が供給されないこととなるが、本実施例では、陳列室９の後方に設けられる仕切板８には、パンチングにて複数冷気吹出孔１０が形成されているため、ダクト１１内と連通される冷気吹出孔１０より冷気の吹出供給が行われ、空間９Ａ内の円滑な冷却を行うことが可能となる。
【００５４】
尚、本実施例では、複数段の棚のうちの特定の棚３上の空間９Ａが前方に開放した状態と、商品Ｓの取り出しが不能となるように当該空間９Ａ前部が閉じた状態とに変更可能なカバー４０として、当該特定の棚３前端部に着脱自在に設けられる板状のカバー４０を採用しているが、これに限定されるものではない。即ち、当該空間９Ａ前上部、最上段の棚３上の空間９Ａに対しては、冷気吐出口１２後方、その他の棚３上の空間９Ａに対しては、直ぐ上の棚下面前端部にロール状に巻かれたスクリーンを引出・巻取自在に設け、販売形態に応じて、前方に開放した状態と、陳列された商品Ｓの取り出しが不能となるよう空間前部が閉じた状態とに変更可能としても良い。いずれの場合においても、施錠機構を備えるものとすることで、より厳格に商品Ｓの取出規制を実現することが可能となる。
【００５５】
尚、当該手段は、これらに限定されるものではないが、本実施例の如く板状のカバー部材を可動棚２４の前端部に設けられた溝３７に着脱自在に取り付けることで、既存の設備においても簡素な構造にて且つ、容易に実現することが可能となる。また、当該溝３７は、本実施例ではプライスカードを挿入保持する棚飾り３５の溝を採用しているが、これに限定されるものではなく、例えば、商品落下を防止するためのガードを保持するため棚の前端部に取り付けられるガード保持部の上方に開口した溝を採用しても同様とする。
【符号の説明】
【００５６】
Ｓ    商品
１    オープンショーケース
２    前面開口
３    棚
６    断熱壁
７    側板
８    仕切板（インテリアリア）
９    陳列室
１０    冷気吹出孔
１１    ダクト
１２    冷気吐出口
１３    冷気吸込口
１４    冷却器
１６    送風機
１８    係合孔
２２    ブラケット
２３    レール部材
２４    可動棚
２７    係合板
２７Ａ  傾斜面
２７Ｂ  係合部
３０    ストッパー
３０Ａ  係止部
３０Ｂ  案内部
３０Ｃ  操作部
３４    風向板
３５    棚飾り
３６    係止部
３７    溝
４０    カバー
４０Ａ  傾斜面
４０Ｂ  上端
【図１】
0005611607.tif 000002
【図２】
0005611607.tif 000003
【図３】
0005611607.tif 000004
【図４】
0005611607.tif 000005
【図５】
0005611607.tif 000006
【図６】
0005611607.tif 000007
【図７】
0005611607.tif 000008